(57)【要約】【課題】電源の状態等をＬＥＤを用いて表示する情報処理装置において、夜間等であってかつユーザが使用しない時間帯においてはＬＥＤを自動的に消灯させることで、電力消費を低減できる情報処理装置を提供する。【解決手段】ＬＥＤを消灯させるＯＦＦ指定時間になると（Ｓ４０２）、情報処理装置の電源がオン状態にあるかオフ状態にあるかを確認し（Ｓ４０５）、オフ状態にあればＬＥＤの電源を消灯させる（Ｓ４０７）。一方、電源がオン状態にあれば、液晶パネルの開平状態を検出し（Ｓ４０８）、液晶パネルが閉じていればＬＥＤを消灯させ（Ｓ４０７）、液晶パネルが開いていればＬＥＤは点灯させたままとする。【選択図】図４
2009193296.tif 000002
【特許請求の範囲】
【請求項１】
二次電池で駆動可能な機器の状態表示装置であって、
前記機器の動作状態を表示する表示部と、
前記表示部を制御する制御部とを備え、
前記制御部は、第１の時刻と第２の時刻を記憶し、
前記第１の時刻経過後、前記機器の電源がオン状態のとき前記表示部の点灯状態を保持し、前記機器の電源がオフの状態または休止状態であるとき前記表示部を消灯させ、前記第２の時刻経過後、前記表示部を点灯させる状態表示装置。
【請求項２】
開閉可能なディスプレイをさらに備え、
前記制御部は、前記ディスプレイの開閉状態を検知し、
前記第１の時刻以降において、前記機器の電源がオン状態の場合であって前記ディスプレイが閉状態のときは前記表示部を消灯させる請求項１記載の状態表示装置。
【請求項３】
ユーザからの入力を受け付ける入力部を備えており、
前記制御部は、
第１の時刻経過後、第２の時刻経過前において、前記入力部から入力があったとき、所定の時間、前記表示部を点灯させる請求項１記載の状態表示装置。
【請求項４】
前記表示部は、前記機器を駆動する二次電池の充電状態を表示する請求項１記載の状態表示装置。
【請求項５】
二次電池で駆動可能な機器の状態を表示する状態表示方法であって
前記機器の動作状態を表示するステップと、
第１の時刻と第２の時刻とを記憶するステップと、
前記第１の時刻経過後、前記機器の電源がオン状態のとき前記表示部の点灯状態を保持し、前記機器の電源がオフの状態または休止状態であるとき前記表示部を消灯させるステップと
前記第２の時刻経過後、前記表示部を点灯させるステップとを有する状態表示方法。
【請求項６】
前記機器は、開閉可能なディスプレイを備えており、
前記ディスプレイの開閉状態を検出するステップと、
前記第１の時刻以降において、前記機器の電源がオン状態の場合であって前記ディスプレイが閉状態のときは前記表示部を消灯させるステップをさらに有する請求項５記載の状態表示方法。
【請求項７】
前記機器はユーザからの入力を受け付ける入力部を備えており、
第１の時刻経過後、第２の時刻経過前において、前記入力部から入力があったとき、所定の時間、前記表示部を点灯させるステップをさらに有する請求項５記載の状態表示方法。
【請求項８】
前記機器の動作状態として、前記情報処理装置を駆動する二次電池の充電状態を表示する請求項５記載の状態表示方法。
【発明の詳細な説明】
【技術分野】
【０００１】
本発明は、主としてノートパソコンやＰＤＡ（携帯情報端末）などの情報処理装置において、充電状態や動作状況等を示す表示装置および方法に関する。
【背景技術】
【０００２】
近年、ノートパソコン等においては、電源のＯＮ／ＯＦＦ状態やバッテリの充電状態を示すため、筐体にＬＥＤを備えている。例えばバッテリが満充電状態のときは緑色に点灯し、そうでない場合は橙色に点灯する等、その表示色等によってバッテリの充電状態をユーザに対して示している（例えば特許文献１参照）。
【０００３】
ユーザは、このＬＥＤの点灯状況を見ることにより、機器の電源の状態を確認することができる。
【特許文献１】特開平３−２７４１４号公報
【発明の開示】
【発明が解決しようとする課題】
【０００４】
しかしながら従来の情報処理装置では、本体の電源のＯＮ／ＯＦＦにかかわらず常にＬＥＤを点灯させており、例えば夜間のオフィス等のおいても常時ＬＥＤは点灯しつづけることになる。これでは不要な電力を消費してしまう。また例えば寝室等においてパソコンを使用している場合には、部屋の照明を消した後であってもＬＥＤは点灯することとなり、ＬＥＤの光が目について眠りを妨害してしまう。
【０００５】
これに対し、例えばあらかじめＬＥＤ消灯時間を設定しておき、この設定時間においてＬＥＤを消灯すれば、夜間にＬＥＤを消灯させることもできる。しかし、あらかじめ指定された時間になると強制的にＬＥＤが消灯してしまうので、例えばパソコンを使用していた場合であっても所定時刻が経過すればＬＥＤが消灯してしまう。これではパソコンの使用中であってもユーザは電源状態やバッテリの充電状態を知ることができなくなる。
【０００６】
本発明は上記課題を解決するためになされたものであり、夜間などパソコンを使用しない時間帯をあらかじめ設定することにより、自動的にＬＥＤ表示を消灯させつつ、ユーザがパソコンを使用している場合、あるいは電源状態を知りたい場合にはＬＥＤを点灯させることで、電源状態を確認することができる情報処理装置および方法を提供することを目的とする。
【課題を解決するための手段】
【０００７】
上記課題を解決するために、本発明は、二次電池で駆動可能な機器の状態表示装置であって、前記機器の動作状態を表示する表示部と、前記表示部を制御する制御部とを備え、前記制御部は、第１の時刻と第２の時刻を記憶し、前記第１の時刻経過後、前記機器の電源がオフの状態または休止状態であるときは前記表示部を消灯させ、前記第２の時刻経過後、前記表示部の表示を前記第１の時刻経過時の状態に戻す制御を行う。
【発明の効果】
【０００８】
本発明によれば、夜間等のパソコンを使用しない時間帯においてＬＥＤを自動的に消灯させる。しかし指定時間になってもユーザが使用している場合はＬＥＤを点灯させておき、またユーザが電源状態を知りたいと考えたときには所定の動作によりＬＥＤを点灯させる。これによりユーザの利便性を損なうことなくＬＥＤによる消費電力を抑制することができる。
【発明を実施するための最良の形態】
【０００９】
以下、本発明の実施の形態について図面を参照しながら詳細に説明する。本発明の状態表示装置においては、パソコン等の情報処理装置を例に挙げて説明する。
【００１０】
図１は本実施の形態における情報処理装置の構成を示すブロック図である。１００は情報処理装置、１０１はプログラム等を実行するＣＰＵ、１０２はＥＣ（ＥｍｂｅｄｄｅｄＣｏｎｔｒｏｌｌｅｒ）であり、電源管理等をおこなうマイコンである。１０３は電源スイッチ、１０４はマウスやキーボード等の入出力装置である。１０５はＬＩＤスイッチであり、ノートパソコンにおいて液晶パネルの開状態、閉状態を検出するスイッチである。１０６は電源状態等を表示するＬＥＤである。１０７はＭＣＨ（Ｍｅｍｏｒｙ  Ｃｏｎｔｒｏｌｌｅｒ  Ｈｕｂ）、１０８はＩＣＨ（Ｉ／Ｏ  Ｃｏｎｔｒｏｌｌｅｒ  Ｈｕｂ）で、それぞれメモリとＣＰＵの接続や、ＵＳＢやＰＣＩバスとの接続を行う制御部である。
【００１１】
図２は本発明の情報処理装置におけるＬＥＤの点灯状態を示した図であり、２００は情報処理装置、２０１および２０２は機器の状態を示すＬＥＤである。例えば２０１は電源のＯＮ／ＯＦＦの状態を示し、電源ＯＮの時は点灯し、電源ＯＦＦの時は消灯する。２０２は二次電池の充電状態を示し、二次電池が満充電の状態の時には緑色に点灯し、満充電状態にない場合には橙色に点灯する。２０３はＨＤＤのアクセス状態を示し、アクセス中は点灯し、非アクセス時は消灯する。また２０４はキー入力のモードの状態を示し、例えばキー入力が大文字入力の場合は点灯し小文字入力の場合は消灯する。なお機器の状態はここで挙げたものに限らず、他の状態を示してもよい。またＬＥＤは複数存在しているとして説明するが、例えば表示する状態を限定して一つのＬＥＤのみを備えてもよい。
【００１２】
図３は本発明の情報処理装置におけるＬＥＤの消灯状態を示した図であり、３００は情報処理装置、３０１〜３０４はＬＥＤであり、ＬＥＤ２０１〜２０４が消灯した状態を示している。
【００１３】
このように構成された情報処理装置において、以下本発明の実施の形態における動作について説明する。
【００１４】
ユーザは、まずＬＥＤの消灯時間（以下ＯＦＦ指定時間ともいう）および点灯時間（以下ＯＮ指定時間ともいう）の設定を行う。例えば午後１０時から次の日の午前７時までは消灯させる場合には、ＯＦＦ指定時間を午後１０時と設定し、ＯＮ指定時間を午前７時に設定する。設定方法についてはこれに限らず、午後１０時〜午前７時というようにＯＦＦ指定時間帯を指定したり、複数の時間を設定したりしてもよく、他の設定方法でもよい。
【００１５】
設定された時間は例えばＥＣ内部のメモリに記憶され、ＥＣは設定されたＯＦＦ指定時間、ＯＮ指定時間に従ってＬＥＤ表示の制御を行う。
【００１６】
次に、ＬＥＤが点灯状態から消灯状態へ移行するときの動作について、図４を参照しながら説明する。
【００１７】
ＥＣはＯＦＦ指定時間になると（Ｓ４０２）、ＬＥＤの点灯状態を確認する（Ｓ４０３）。ＬＥＤが既に消灯状態にある場合は、ＬＥＤの現在の状態（消灯状態）をＥＣ内のメモリに記憶して（Ｓ４０４）、処理を終了する（Ｓ４１０）。ＬＥＤの現在の状態を記憶しておくのは、次に点灯時間になった際、ＬＥＤの点灯状態を現状と同一の状態に戻すためである。
【００１８】
一方、ＬＥＤが点灯状態にある場合は、次に電源の状態を確認する（Ｓ４０５）。
【００１９】
電源の状態を確認した結果、電源がオフ状態、または休止状態、またはスタンバイ状態にある場合は、ＬＥＤを消灯させる動作を行う。すなわちＬＥＤの現在の状態（点灯状態）をＥＣ内のメモリに記憶した後（Ｓ４０６）、ＬＥＤを消灯させ（Ｓ４０７）、処理を終了する（Ｓ４１０）。電源がオフ状態、休止状態、スタンバイ状態にある場合は、ユーザが使用している可能性は低いと考えられ、ＯＦＦ指定時間になるとＬＥＤは消灯する。すなわち、図２のようにＬＥＤが点灯している状態から、図３のようにＬＥＤが消灯した状態へ移行する。
【００２０】
ここで、ステップＳ４０６ではＬＥＤの状態がＥＣ内のメモリに記憶されるが、例えばＬＥＤが図２に示す状態にある場合、ＥＣ内のメモリには、２０１、２０２、２０４が点灯しており、２０３は消灯しているという状態が記憶される。後で述べるように、ＯＮ指定時刻になったとき、ＬＥＤの状態をもとの状態に戻すためである。
【００２１】
一方、電源がオン状態にある場合は、ユーザが使用している可能性がある。ユーザが使用している可能性が高いか否かの判断は、液晶パネルが開状態か閉状態のいずれにあるかに基づいて行う。すなわち液晶パネルが開状態にある場合は、ユーザはパソコンを使用している可能性が高く、液晶パネルが閉状態にある場合は、ユーザはパソコンを使用している可能性が低いと思われる。したがってＬＩＤスイッチに基づいて液晶パネルが開状態であるか閉状態であるかを検出し（Ｓ４０８）、開状態の場合は現在のＬＥＤの状態（点灯状態）を記憶して（Ｓ４０９）、処理を終了する（Ｓ４１０）。一方、閉状態の場合は現在のＬＥＤの状態（点灯状態）を記憶した後（Ｓ４０６）、ＬＥＤを消灯させ（Ｓ４０７）、処理を終了する（Ｓ４１０）。これにより、ユーザが使用している場合には、ＯＦＦ指定時間になってもＬＥＤは点灯したままであり、ユーザが使用していない場合にはＬＥＤはＯＦＦ指定時間に消灯する。
【００２２】
なお、電源がオンの状態で液晶パネルが開状態の場合は、所定時間経過後にステップＳ４０１からの処理を再実行するとしてもよい。例えばＬＥＤが点灯している状態で、ＯＦＦ指定時間を経過してしばらくはパソコンを使用おり、その後使用をやめた場合を想定すると、ＯＦＦ指定時間においてはパソコンの電源がオンであり液晶パネルが開いているのでＬＥＤは点灯したままとなる。しかし使用を止めた後はＬＥＤを消灯させたいと考えられる。そこでステップＳ４０８およびＳ４０９を実行後、処理を終了した場合には、所定時間毎（例えば１０分や３０分毎等）にステップＳ４０１の処理を開始することとする。そうするとユーザが使用を中止した場合、その後ＬＥＤを消灯状態とすることができる。
【００２３】
次に、ＬＥＤを消灯状態から点灯状態へ移行するときの動作について、図５を参照しながら説明する。
【００２４】
ＥＣはＯＮ指定時間になると（Ｓ５０２）、ＥＣ内部のメモリに記憶されたＬＥＤの状態を読み出す（Ｓ５０３）。そしてその後電源の状態を確認し（Ｓ５０４）、読み出したＬＥＤの状態が点灯状態であればＬＥＤを点灯させ（Ｓ５０５）、消灯状態であればＬＥＤを消灯のまま維持し（Ｓ５０５）、処理を終了する（Ｓ５０７）。
【００２５】
例えばＯＦＦ指定時間において図２のような点灯状態であった場合、ＥＣ内部のメモリにはＬＥＤ２０１、２０２、２０４が点灯状態であり、ＬＥＤ２０３が消灯状態にあるという情報が記憶されている。ステップＳ５０３においてはこの状態を読出して、ＬＥＤ２０１、２０２、２０４を点灯させ、ＬＥＤ２０３は消灯状態を維持させる。
【００２６】
ここで電源状態を確認するステップＳ５０４は、ＬＥＤの表示内容を最新状態にするために行われる。例えばＬＥＤが二次電池の充電状態を示しており、満充電の場合は緑色、そうでない場合は橙色で二次電池の充電状態を示すものとする。そしてＯＦＦ指定時刻においては充電が完了しておらず橙色に点灯しており、ＯＮ指定時刻において充電が完了していたとする。この場合、ＯＮ指定時刻において、ＬＥＤの点灯状態に加えて表示内容までＯＦＦ指定時刻の状態に戻すとすると、充電が完了しているのにもかかわらず、橙色が点灯することとなる。そこで、ＬＥＤの点灯状態についてはＯＦＦ指定時刻の点灯状態に戻し、表示内容については最新の電源状態を取得することで、例えば充電が完了している場合には緑色に点灯させることができる。
【００２７】
またＥＣは、ＯＮ指定時間になったときのみならず、パワースイッチがＯＮされた場合や液晶パネルがオープンされてＬＩＤスイッチがオン状態になった場合、あるいはキーボード操作がなされた等、外部から割込み処理が発生した場合（Ｓ５０６）であってもＬＥＤの状態を読出し（Ｓ５０３）、電源等の状態を確認し（Ｓ５０４）、ＬＥＤの状態を反映させる処理（Ｓ５０５）を実行する。これは夜間など、ＯＦＦ指定時間によってＬＥＤが消灯状態にある場合でも、ユーザがパワースイッチを入れたり、液晶パネルをオープンさせたり、キーボード操作をした場合には、ＬＥＤを点灯させてユーザが電源の状態を確認できるようにするためである。
【００２８】
ここで、ＯＦＦ指定期間中であるにもかかわらず、外部割込みによってＬＥＤを点灯させた場合には、所定時間経過後にＬＥＤを消灯させてもよい。基本的にはＬＥＤを消灯させておく時間帯であり、一時的にＬＥＤを点灯させて電源状態を確認できれば、その後は消灯させたほうがよい場合もあると考えられるからである。
【００２９】
なお、本実施の形態において、ＯＦＦ指定時間においてＬＥＤの点灯状態を記憶する（Ｓ４０４、Ｓ４０６、Ｓ４０９）として説明を行ったが、これらのステップを省くこともできる。例えばＬＥＤを消灯させる処理において、図４のフローからＬＥＤの点灯状態を記憶するステップを省略し、図６のフローを用いることもできる。この場合、ＬＥＤを点灯させる処理において、図５のフローから図７のフローを用いればよい。図７において、ステップＳ７００は、機器の状態確認を行うステップである。このステップを設けることで、これまでの説明と同様の動作を行うことができる。
【００３０】
機器の状態確認のステップＳ７００は、ＯＮ指定時間において、機器がＬＥＤを点灯させる状態にあるか消灯させる状態にあるか、そして電源状態が満充電状態か否かを検出する。そして機器の状態がＬＥＤを点灯させる状態にある場合はＬＥＤを点灯させ、そうでない場合は消灯を維持する。さらにＬＥＤを点灯させる場合には、二次電池の状態が満充電状態の場合はＬＥＤを緑色に、そうでない場合は橙色で表示させる。これにより、ＯＦＦ指定時間においてＬＥＤの点灯状態を記憶することなく、所望の動作を行うことができる。
【産業上の利用可能性】
【００３１】
本発明は、例えば、電源の状態等を表示することができる機器一般に広く利用することが可能である。
【図面の簡単な説明】
【００３２】
【図１】本発明の実施の形態のブロック図
【図２】本発明の情報処理装置におけるＬＥＤの点灯状態を示す図
【図３】本発明の情報処理装置におけるＬＥＤの消灯状態を示す図
【図４】ＬＥＤを消灯する動作を説明するためのフローチャート
【図５】ＬＥＤを点灯する動作を説明するためのフローチャート
【図６】ＬＥＤを消灯する動作を説明するための第２のフローチャート
【図７】ＬＥＤを点灯する動作を説明するための第２のフローチャート
【符号の説明】
【００３３】
１００    情報処理装置
１０１    ＣＰＵ
１０２    ＥＣ
１０３    電源スイッチ
１０４    マウス、キーボード
１０５    ＬＩＤスイッチ
１０６    ＬＥＤ
１０７    ＭＣＨ
１０８    ＩＣＨ
【図１】
2009193296.tif 000003
【図２】
2009193296.tif 000004
【図３】
2009193296.tif 000005
【図４】
2009193296.tif 000006
【図５】
2009193296.tif 000007
【図６】
2009193296.tif 000008
【図７】
2009193296.tif 000009